(57)【要約】【課題】赤色、緑色及び青色サブピクセルの発光域が大きい開口比を持ち、また製造プロセスの難度を低下させ、より大きなアライメント許容度を有するカラー画像を表示できるディスプレイパネル及びその形成方法を提供すること。【解決手段】列方向と行方向にマトリクス配列された複数の画素を含み、各画素は、マトリクスの列方向に沿って互いに隣接して配列された第１〜３サブピクセルと、三角形に配列され、各発光域の幾何中心が三角形の異なる頂点に位置され、三角形の一辺は列方向又は行方向と実質的に平行であり、それぞれが独自の色の光線を発し、かつ配列された画素が、列方向上及び行方向上に、任意の２つの隣接し、かつ異なる色の発光域間に距離を有する間隙をそれぞれ定義し、両間隙の距離が同一である第１〜３発光域とを含むカラー画像を表示できるディスプレイパネル及びその形成方法を採用する。【選択図】図５
2008015521.tif 000002
【特許請求の範囲】
【請求項１】
列方向と行方向にマトリクス配列された複数の画素を含み、カラー画像を表示できるディスプレイパネルであって、各画素は、
前記マトリクスの前記列方向に沿って互いに隣接して配列された第１サブピクセル、第２サブピクセル及び第３サブピクセルと、
三角形に配列され、各発光域の幾何中心が前記三角形の異なる頂点に位置され、前記三角形の一辺は前記列方向と前記行方向の中の１つと実質的に平行であり、それぞれが独自の色の光線を発し、かつ配列された前記画素が、前記列方向上に、任意の２つの隣接し、かつ異なる色の発光域間に距離を有する間隙を定義し、前記行方向上に、任意の２つの隣接し、かつ異なる色の発光域間に距離を有する間隙を定義し、前記両間隙の距離が実質的に又は近似して同一である第１発光域、第２発光域及び第３発光域とを含むディスプレイパネル。
【請求項２】
前記各第１発光域、第２発光域及び第３発光域は、対応する赤色発光域、緑色発光域及び青色発光域の中の１つを含む請求項１に記載のディスプレイパネル。
【請求項３】
前記各赤色発光域、緑色発光域及び青色発光域の幾何中心は、対応する前記第１サブピクセル、前記第２サブピクセル及び前記第３サブピクセルにそれぞれ位置され、前記三角形の一辺は前記列方向と実質的に平行である請求項２に記載のディスプレイパネル。
【請求項４】
前記赤色発光域、前記緑色発光域及び前記青色発光域の中の１つの幾何中心は、前記画素の前記第１サブピクセルと前記第３サブピクセルの中の１つに位置され、かつ前記赤色発光域、前記緑色発光域及び前記青色発光域の残りの幾何中心は、前記画素のもう１つの前記第１サブピクセルと前記第３サブピクセルに位置され、前記三角形の一辺は前記行方向と実質的に平行である請求項２に記載のディスプレイパネル。
【請求項５】
前記各赤色発光域、緑色発光域及び青色発光域は、前記列方向の幅と前記行方向の長さを有する請求項２に記載のディスプレイパネル。
【請求項６】
前記各赤色発光域、緑色発光域及び青色発光域の前記幅と前記長さは、異なる又は実質的に同一である請求項５に記載のディスプレイパネル。
【請求項７】
前記各赤色発光域、緑色発光域及び青色発光域は、赤色、緑色及び青色を放射することができる発光ダイオード素子を含む請求項２に記載のディスプレイパネル。
【請求項８】
前記発光ダイオード素子は、有機発光ダイオード素子又は複数の直列接続された有機発光ダイオード素子を含む請求項７に記載のディスプレイパネル。
【請求項９】
前記各有機発光ダイオード素子は、トップエミッション型有機発光ダイオード素子とボトムエミッション型有機発光ダイオード素子の中の１つを含む請求項８に記載のディスプレイパネル。
【請求項１０】
前記各有機発光ダイオード素子は、正常構造と逆構造の中の１つを含む請求項８に記載のディスプレイパネル。
【請求項１１】
前記各画素の前記赤色発光域、前記緑色発光域及び前記青色発光域をそれぞれ駆動し、前記発光域より対応する色の光線を放射する駆動回路を更に含む請求項８に記載のディスプレイパネル。
【請求項１２】
前記駆動回路は、前記ディスプレイパネルをパッシブマトリクス有機発光ダイオード素子とアクティブマトリクス有機発光ダイオード素子の中の１つに対応して形成させる請求項１１に記載のディスプレイパネル。
【請求項１３】
列方向と行方向にマトリクス配列された複数の画素で形成され、各画素は前記マトリクスの前記列方向に沿って互いに隣接して配列された第１サブピクセル、第２サブピクセル及び第３サブピクセルと、赤色発光域、緑色発光域及び青色発光域とを含むカラー画像を表示できるディスプレイパネルであって、
前記画素の前記赤色発光域、前記緑色発光域及び前記青色発光域で配列された三角形を含み、各発光域の幾何中心が前記三角形の異なる頂点に位置され、前記三角形の一辺は前記列方向と前記行方向の中の１つと実質的に平行であり、前記画素は、前記列方向上に、任意の２つの隣接し、かつ異なる色の発光域間に距離を有する間隙を定義し、前記行方向上に、任意の２つの隣接し、かつ異なる色の発光域間に距離を有する間隙を定義し、前記両間隙の距離が実質的に又は近似して同一である請求項１３に記載のディスプレイパネル。
【請求項１４】
前記各赤色発光域、緑色発光域と及び青色発光域の幾何中心は、対応する前記第１サブピクセル、前記第２サブピクセル及び前記第３サブピクセルにそれぞれ位置され、前記三角形の一辺は前記列方向と実質的に平行である請求項１３に記載のディスプレイパネル。
【請求項１５】
前記赤色発光域、前記緑色発光域及び前記青色発光域の中の１つの幾何中心は、前記画素の前記第１サブピクセルと前記第３サブピクセルの中の１つに位置され、かつ前記赤色発光域、前記緑色発光域及び前記青色発光域の残りの幾何中心は、前記画素のもう１つの前記第１サブピクセルと前記第３サブピクセルに位置され、前記三角形の一辺は前記行方向と実質的に平行である請求項１３に記載のディスプレイパネル。
【請求項１６】
前記各赤色発光域、緑色発光域及び青色発光域は、前記列方向の幅と前記行方向の長さを有する請求項１３に記載のディスプレイパネル。
【請求項１７】
前記各赤色発光域、緑色発光域及び青色発光域の前記幅と前記長さは、異なる又は実質的に同一である請求項１６に記載のディスプレイパネル。
【請求項１８】
前記各赤色発光域、緑色発光域及び青色発光域は、赤色、緑色及び青色を放射することができる発光ダイオード素子を含む請求項１３に記載のディスプレイパネル。
【請求項１９】
前記発光ダイオード素子は、有機発光ダイオード素子又は複数の直列接続された有機発光ダイオード素子を含む請求項１８に記載のディスプレイパネル。
【請求項２０】
前記各有機発光ダイオード素子は、トップエミッション型有機発光ダイオード素子とボトムエミッション型有機発光ダイオード素子の中の１つを含む請求項１９に記載のディスプレイパネル。
【請求項２１】
前記各有機発光ダイオード素子は、正常構造と逆構造の中の１つを含む請求項１９に記載のディスプレイパネル。
【請求項２２】
列方向と行方向にマトリクス配列された複数の画素を有し、各画素は前記マトリクスの前記列方向に沿って互いに隣接して配列された第１サブピクセル、第２サブピクセル及び第３サブピクセルと、赤色発光域、緑色発光域及び青色発光域とを含むカラー画像を表示するディスプレイパネルの形成方法であって、
前記画素の前記赤色発光域、前記緑色発光域及び前記青色発光域を三角形に配列し、各発光域の幾何中心が前記三角形の異なる頂点に位置され、前記三角形の一辺は前記列方向と前記行方向の中の１つと実質的に平行であり、前記画素の前記マトリクスでは、前記列方向上に、任意の２つの隣接し、かつ異なる色の発光域間に距離を有する間隙を定義し、前記行方向上に、任意の２つの隣接し、かつ異なる色の発光域間に距離を有する間隙を定義し、前記両間隙の距離が実質的に又は近似して同一である形成方法。
【請求項２３】
前記各赤色発光域、緑色発光域及び青色発光域の幾何中心は、対応する前記第１サブピクセル、前記第２サブピクセル及び前記第３サブピクセルにそれぞれ位置され、前記三角形の一辺は前記列方向と実質的に平行である請求項２２に記載の方法。
【請求項２４】
前記赤色発光域、前記緑色発光域及び前記青色発光域の中の１つの幾何中心は、前記画素の前記第１サブピクセルと前記第３サブピクセルの中の１つに位置され、かつ前記赤色発光域、前記緑色発光域及び前記青色発光域の残りの幾何中心は、前記画素のもう１つの前記第１サブピクセルと前記第３サブピクセルに位置され、前記三角形の一辺は前記行方向と実質的に平行である請求項２２に記載の方法。
【請求項２５】
前記各赤色発光域、緑色発光域及び青色発光域は、赤色、緑色及び青色を放射することができる発光ダイオード素子を含む請求項２２に記載の方法。
【請求項２６】
前記発光ダイオード素子は、有機発光ダイオード素子又は複数の直列接続された有機発光ダイオード素子を含む請求項２５に記載の方法。
【請求項２７】
前記各有機発光ダイオード素子は、トップエミッション型有機発光ダイオード素子とボトムエミッション型有機発光ダイオード素子の中の１つを含む請求項２６に記載の方法。
【請求項２８】
前記各有機発光ダイオード素子は、正常構造と逆構造の中の１つを含む請求項２６に記載の方法。
【請求項２９】
列方向と行方向にマトリクス配列された複数の画素を含み、カラー画像を表示できるディスプレイパネルであって、各画素は、
第１サブピクセル、第２サブピクセル及び第３サブピクセルと、
三角形に配列され、各発光域の幾何中心が前記三角形の異なる頂点に位置され、前記三角形の一辺は前記列方向と前記行方向の中の１つと実質的に平行であり、それぞれが独自の色の光線を発し、かつ配列された前記画素が、前記列方向上に、任意の２つの隣接し、かつ異なる色の発光域間に距離を有する間隙を定義し、前記行方向上に、任意の２つの隣接し、かつ異なる色の発光域間に距離を有する間隙を定義し、前記両間隙の距離が実質的に又は近似して同一である第１発光域、第２発光域及び第３発光域を含むディスプレイパネル。
【請求項３０】
前記各第１発光域、第２発光域及び第３発光域は、対応する赤色発光域、緑色発光域及び青色発光域の中の１つを含む請求項２９に記載のディスプレイパネル。
【請求項３１】
３原色画素素子のディスプレイであって、
前記３原色画素素子は、列方向と行方向に、画素マトリクスに互いに隣接して配列された第１サブピクセル、第２サブピクセル及び第３サブピクセルと、
三角形に配列され、各発光域の幾何中心が前記三角形の異なる頂点に位置され、前記三角形の一辺は前記列方向と前記列方向に垂直な前記行方向の中の１つと実質的に平行であり、独自の色の光線を発し、かつ前記列方向上に、任意の２つの隣接し、かつ異なる色の発光域間に第１距離を有する間隙を定義し、前記行方向上に、任意の２つの隣接し、かつ異なる色の発光域間に第２距離を有する間隙を定義し、前記第１距離と前記第２距離が実質的に又は近似して同一である第１発光域、第２発光域及び第３発光域とを含む３原色画素素子のディスプレイ。
【請求項３２】
請求項３１に記載の３原色画素素子によって製造されるフルカラーディスプレイ。
【発明の詳細な説明】
【技術分野】
【０００１】
本発明は、フルカラーディスプレイパネルに関し、特に、有機発光ディスプレイ素子のサブピクセルの配列設計に関するものである。
【背景技術】
【０００２】
一般的に、フルカラーディスプレイパネルは、赤色、緑色及び青色等のサブピクセル素子より構成され、ストライプ、モザイク又はデルタ形式で配列され、ディスプレイパネルの異なるサブピクセルより放射された各色の光線を混合することによってフルカラー効果を与えている。小型、高解析度、低消費電力、自己発光及び高速応答等の利点により、有機発光ダイオード（ＯＬＥＤ）ディスプレイパネルは、フルカラー画像の高鮮明度のディスプレイに広く用いられている。
【０００３】
図１８に示されるように、従来、液晶ディスプレイの赤色、緑色及び青色サブピクセル素子の配列は、ＯＬＥＤディスプレイパネルに用いられる。この配列では、画素マトリクス６００の各画素６０１は、第１サブピクセル６１０、第２サブピクセル６２０及び第３サブピクセル６３０を有し、画素マトリクス６００の列方向に沿って互いに隣接して配列され、赤色サブピクセル素子６５０、緑色サブピクセル素子６６０及び青色サブピクセル素子６７０は、画素マトリクス６００の列方向に沿って、第１サブピクセル６１０、第２サブピクセル６２０及び第３サブピクセル６３０の中にそれぞれ設置される。よって、図１８に示されるように、列方向上に、２つの隣接したサブピクセル素子間に距離Ｌｒを有する間隙を定義し、行方向上に、２つの隣接したサブピクセル素子間に距離Ｌｃを有する間隙を定義し、ＬｃはＬｒよりはるかに大きい。
【０００４】
しかし、前記サブピクセルの配列方式は、ディスプレイパネルの製造過程においてかなりの困難をもたらす。例えば、フルカラーＯＬＥＤディスプレイパネルの製造過程では、通常、シャドウマスクアラインメント（ｓｈａｄｏｗ ｍａｓｋ ａｌｉｇｎｍｅｎｔ）法を用いて、ディスプレイパネルの基板上に異なる有機層を堆積することで個別の赤色、緑色及び青色サブピクセル素子を形成する。ＯＬＥＤディスプレイパネルの解像度は、シャドウマスクの開口寸法に関係する。図１８に示すサブピクセル素子の配列では、列方向上の２つの隣接したサブピクセル素子間の距離Ｌｒは、行方向上の２つの隣接したサブピクセル素子間の距離Ｌｃよりはるかに小さい。よって、ディスプレイパネルの製造過程では、列方向上のサブピクセル素子のアラインメント許容度（Ｌｒ／２）は、行方向上のサブピクセル素子のアラインメント許容度（Ｌｃ／２）より、はるかに低い。このため、ＯＬＥＤディスプレイパネルのサブピクセル素子が列方向でアラインメントミスを生じ易くさせ、サブピクセルの各カラーの有機層をその他のサブピクセルに堆積させ、各サブピクセル素子より放射された光線が混合する現象、又は各２つの隣接したサブピクセル素子の上、下電極で短絡を発生して発光をしない問題を生じさせる。このタイプのサブピクセル素子の配列もまた、対応するシャドウマスクのエッチング製造を非常に難しくさせる。よって、従来のサブピクセル素子の配列方式を用いて高解析度のＯＬＥＤディスプレイを製造することが難しい。
【０００５】
特許文献１（特開２００７−１０８１１号公報）には、各ピクセルが３個のサブピクセルを含み、Ｌ字形に配列された３個のサブピクセルを含む第１のピクセルと逆Ｌ字形に配列された３個のサブピクセルを含む第２のピクセルが走査線方向に隣接して配置された表示装置が開示されている。また、特許文献２（特開平１０−７４０６９号公報）には、Ｒ（赤）、Ｇ（緑）及びＢ（青）の画素をデルタ配列で配置すると共に、上下のラインでは同一色の画素を水平方向に１．５画素分ずらして配置した液晶パネルを用いたカラー液晶表示装置が記載されている。
【０００６】
しかし、これら特許文献１及び２に示されるカラーピクセルの配列方式では、上述した課題は解決されない。よって、上述の課題を解決する有効な技術を提供する必要がある。
【０００７】
【特許文献１】特開２００７−１０８１１号公報
【特許文献２】特開平１０−７４０６９号公報
【発明の開示】
【発明が解決しようとする課題】
【０００８】
従って、本発明の目的は、赤色、緑色及び青色サブピクセルの発光域が大きい開口比を持ち、また製造プロセスの難度を低下させ、より大きなアライメント許容度を有するカラー画像を表示できるディスプレイパネル及びその形成方法を提供することにある。
【課題を解決するための手段】
【０００９】
本発明の１つの実施形態では、前記ディスプレイパネルは、列方向と行方向にマトリクス配列された複数の画素を含み、各画素は、前記マトリクスの前記列方向に沿って互いに隣接して配列された第１サブピクセル、第２サブピクセル及び第３サブピクセルと、三角形に配列され、各発光域の幾何中心が前記三角形の異なる頂点に位置され、前記三角形の一辺は前記列方向と前記行方向の中の１つに実質的に平行であり、そのそれぞれが独自の色の光線を発する第１発光域、第２発光域及び第３発光域を含む。前記列方向上に配列された前記画素は、任意の２つの隣接し、かつ異なる色の発光域間に距離を有する間隙を定義し、前記行方向上に配列された前記画素は、任意の２つの隣接し、かつ異なる色の発光域間に距離を有する間隙を定義し、前記両間隙の距離は実質的又は近似して同一である。
【００１０】
１つの実施形態では、各第１発光域、第２発光域及び第３発光域は、対応する赤色発光域、緑色発光域及び青色発光域の中の１つを含む。各赤色発光域、緑色発光域及び青色発光域は、前記列方向の幅と前記行方向の長さを有し、各赤色発光域、緑色発光域及び青色発光域の前記幅と前記長さは、異なるか又は実質的に同一である。１つの実施形態では、各赤色発光域、緑色発光域及び青色発光域の幾何中心は、対応する前記第１サブピクセル、前記第２サブピクセル及び前記第３サブピクセルにそれぞれ位置され、前記三角形の一辺は前記列方向に実質的に平行である。もう１つの実施形態では、前記赤色発光域、前記緑色発光域及び前記青色発光域の中の１つの幾何中心は、前記画素の前記第１サブピクセルと前記第３サブピクセルの中の１つに位置され、かつ前記赤色発光域、前記緑色発光域及び前記青色発光域の残りの幾何中心は、前記画素のもう１つの前記第１サブピクセルと前記第３サブピクセルに位置され、前記三角形の一辺は前記行方向に実質的に平行である。
【００１１】
各赤色発光域、緑色発光域及び青色発光域は、赤色、緑色及び青色の異なる色の光線を放射することができる発光ダイオード素子を含む。１つの実施形態では、前記発光ダイオード素子は、有機発光ダイオード（ＯＬＥＤ）素子又は複数の直列接続された有機発光ダイオード（ＯＬＥＤ）素子を含む。各有機発光ダイオード素子の発光方式は、トップエミッション（ｔｏｐ−ｅｍｉｓｓｉｏｎ）型有機発光ダイオード素子又はボトムエミッション（ｂｏｔｔｏｍ−ｅｍｉｓｓｉｏｎ）型有機発光ダイオード素子を含む。また、各有機発光ダイオード素子の構造は、正常構造（ｎｏｒｍａｌ）又は逆構造（ｉｎｖｅｒｔｅｄ）を含む。
【００１２】
前記ディスプレイパネルは、各画素の前記赤色発光域、前記緑色発光域及び前記青色発光域をそれぞれ駆動し、前記発光域より対応する色の光線を放射する駆動回路を更に含む。１つの実施形態では、前記ディスプレイパネルの駆動回路は、パッシブマトリクス有機発光ダイオード素子とアクティブマトリクス有機発光ダイオード素子の中の１つに対応して形成される。
【００１３】
本発明の他の局面は、列方向と行方向にマトリクス配列された複数の画素で形成され、カラー画像を表示できるディスプレイパネルを提供する。各画素は、前記マトリクスの前記列方向に沿って互いに隣接して配列された第１サブピクセル、第２サブピクセル及び第３サブピクセルと、赤色発光域、緑色発光域及び青色発光域とを含む。１つの実施形態では、前記ディスプレイパネルは、前記画素の前記赤色発光域、前記緑色発光域及び前記青色発光域で配列された三角形を有し、各発光域の幾何中心が前記三角形の異なる頂点に位置され、前記三角形の一辺は前記列方向と前記行方向の中の１つに実質的に平行であり、前記画素は、前記列方向上に、任意の２つの隣接し、かつ異なる色の発光域間に距離を有する間隙を定義し、前記行方向上に、任意の２つの隣接し、かつ異なる色の発光域間に距離を有する間隙を定義し、前記両間隙の距離が実質的又は近似して同一である。各赤色発光域、緑色発光域及び青色発光域は、赤色、緑色及び青色の異なる色の光線を放射することができる発光ダイオード素子を含む。
【００１４】
１つの実施形態では、各赤色発光域、緑色発光域及び青色発光域の幾何中心は、対応する前記第１サブピクセル、前記第２サブピクセル及び前記第３サブピクセルに位置され、前記三角形の一辺は前記列方向に実質的に平行である。もう１つの実施形態では、前記赤色発光域、前記緑色発光域及び前記青色発光域の中の１つの幾何中心は、前記画素の前記第１サブピクセルと前記第３サブピクセルの中の１つに位置され、かつ前記赤色発光域、前記緑色発光域及び前記青色発光域の残りの幾何中心は、前記画素のもう１つの前記第１サブピクセルと前記第３サブピクセルに位置され、前記三角形の一辺は前記行方向に実質的に平行である。
【００１５】
本発明のもう１つの局面は、カラー画像を表示するディスプレイパネルの形成方法を提供する。ディスプレイパネルは、列方向と行方向にマトリクス配列された複数の画素を有し、各画素は、前記マトリクスの前記列方向に沿って互いに隣接して配列された第１サブピクセル、第２サブピクセル及び第３サブピクセルと、赤色発光域、緑色発光域及び青色発光域とを含む。１つの実施形態では、前記方法は、前記画素の前記赤色発光域、前記緑色発光域及び前記青色発光域を三角形に配列し、各発光域の幾何中心が前記三角形の異なる頂点に位置され、前記三角形の一辺は前記列方向と前記行方向の中の１つと実質的に平行であり、前記画素の前記マトリクスでは、前記列方向上に、任意の２つの隣接し、かつ異なる色の発光域間に距離を有する間隙を定義し、前記行方向上に、任意の２つの隣接し、かつ異なる色の発光域間に距離を有する間隙を定義し、前記両間隙の距離が実質的に又は近似して同一である。各赤色発光域、緑色発光域及び青色発光域は、赤色、緑色及び青色の異なる色の光線を放射することができる発光ダイオード素子を含む。
【００１６】
本発明のもう１つの局面は、列方向と行方向にマトリクス配列された複数の画素を含むカラー画像を表示することができるディスプレイパネルを提供する。１つの実施形態では、各画素は、第１サブピクセル、第２サブピクセル及び第３サブピクセルと、三角形に配列された第１発光域、第２発光域及び第３発光域とを含む。各発光域の幾何中心は、前記三角形の異なる頂点に位置され、前記三角形の一辺は前記列方向と前記行方向の中の１つと実質的に平行であり、各第１発光域、第２発光域及び第３発光域が独自の色の光線を発する。１つの実施形態では、各第１発光域、第２発光域及び第３発光域は、対応する赤色発光域、緑色発光域及び青色発光域の中の１つを含む。前記列方向上に配列された前記画素は、任意の２つの隣接し、かつ異なる色の発光域間に距離を有する間隙を定義し、前記行方向上に配列された前記画素は、任意の２つの隣接し、かつ異なる色の発光域間に距離を有する間隙を定義し、前記両間隙の距離が実質的又は近似して同一である。
【００１７】
本発明のもう１つの局面は、ディスプレイの３原色画素素子を提供する。１つの実施形態では、前記３原色画素素子は、列方向と行方向に、画素マトリクスに互いに隣接して配列された第１サブピクセル、第２サブピクセル及び第３サブピクセルと、三角形に配列され、各発光域の幾何中心が前記三角形の異なる頂点に位置され、前記三角形の一辺は前記列方向と前記列方向に実質的に垂直な前記行方向の中の１つと実質的に平行であり、前記列方向上に、任意の２つの隣接し、かつ異なる色の発光域間に第１距離を有する間隙を定義し、前記行方向上に、任意の２つの隣接し、かつ異なる色の発光域間に第２距離を有する間隙を定義し、前記第１距離と前記第２距離が実質的又は近似して同一である第１発光域、第２発光域及び第３発光域とを含む。各第１発光域、第２発光域及び第３発光域は、独自の色の光線を発する。
【００１８】
本発明は、前記３原色画素素子より製造されたフルカラーディスプレイを提供する。
【発明の効果】
【００１９】
本発明のカラーディスプレイパネル及びその形成方法によれば、従来のサブピクセルの発光域に比べ、赤色、緑色及び青色サブピクセルの発光域は、より大きい開口比を持ち、ディスプレイパネルの寿命を延ばすことができる。また、本発明は、製造プロセスの難度を低下させ、より大きなアライメント許容度を有することもでき、フルカラーＯＬＥＤディスプレイパネルの製造プロセス中に色混合が生じるのを防ぐことができる。
【発明を実施するための最良の形態】
【００２０】
本発明についての目的、特徴及び長所が一層明確に理解されるよう、以下に実施形態を例示し、図面を参照にしながら、詳細に説明する。
【００２１】
本発明に係るフルカラーディスプレイパネルは、複数の画素（ピクセル）を有し、列方向と列方向に垂直な行方向のマトリクスで形成されている。図１〜３を参照するに、各画素１００は、第１サブピクセル１１０、第２サブピクセル１２０及び第３サブピクセル１３０を有し、互いに隣接して画素マトリクスの列方向に沿って配列される。各サブピクセル１１０、１２０及び１３０は、実質的に等しく、かつ列方向のサブピクセルピッチＰｘと行方向のサブピクセルピッチＰｙとを有する。列方向のサブピクセルピッチＰｘと行方向のサブピクセルピッチＰｙの両方は、サブピクセルの面積、即ちＰｘ×Ｐｙを定義する。
【００２２】
また、各画素１００は、赤色（サブピクセル）発光域１５０、緑色（サブピクセル）発光域１６０及び青色（サブピクセル）発光域１７０を有し、三角形に配列されている。各サブピクセルの発光域（１５０、１６０、１７０）の幾何中心は、三角形の異なる頂点に位置される。この三角形の一辺は列方向又は行方向に実質的に平行である。１つの実施形態では、各発光域（１５０、１６０、１７０）の幾何中心（Ｒ、Ｇ、Ｂ）は、画素１００の第１サブピクセル１１０、第２サブピクセル１２０及び第３サブピクセル１３０にそれぞれ位置される。第２サブピクセル１２０の発光域は、行方向上で、第１サブピクセル１１０と第３サブピクセル１３０の発光域と距離Ｌｙでシフトされ、発光域によって形成された三角形の一辺は列方向に実質的に平行である。また、列方向上の第１サブピクセル１１０と第３サブピクセル１３０の両発光域間の距離Ｌｘは、Ｌｙと実質的に又は近似して同一である。例えば、図１に示すように、赤色発光域１５０、緑色発光域１６０及び青色発光域１７０の幾何中心（Ｒ、Ｇ、Ｂ）は、第１サブピクセル１１０、第２サブピクセル１２０及び第３サブピクセル１３０にそれぞれ位置する。行方向上では、緑色発光域１６０は、赤色発光域１５０及び青色発光域１７０とＬｙの距離でシフトされる。この配列では、赤色発光域１５０及び青色発光域１７０によって形成された三角形の一辺は、列方向に実質的に平行であり、赤色発光域１５０及び青色発光域１７０間の距離Ｌｘは、Ｌｙと実質的に又は近似して同一である。
【００２３】
もう１つの実施形態では、赤色発光域１５０、緑色発光域１６０及び青色発光域１７０の中の１つの幾何中心は、画素１００の第１サブピクセル１１０と第３サブピクセル１３０の中の１つに位置する。赤色発光域１５０、緑色発光域１６０及び青色発光域１７０の残りの幾何中心は、画素１００のもう１つの第１サブピクセル１１０と第３サブピクセル１３０に位置し、三角形の一辺を列方向に実質的に平行とされる。図２に示されるように、緑色発光域１６０の幾何中心Ｇは、第１サブピクセル１１０に位置し、赤色発光域１５０と青色発光域１７０の幾何中心（Ｒ、Ｂ）は、第３サブピクセル１３０に位置する。図３では、緑色発光域１６０の幾何中心Ｇは、第３サブピクセル１３０に位置し、赤色発光域１５０と青色発光域１７０の幾何中心（Ｒ、Ｂ）は、第１サブピクセル１１０に位置する。図２及び３に示される赤色発光域１５０、緑色発光域１６０及び青色発光域１７０の配列では、緑色発光域１６０は、列方向上で、赤色発光域１５０と青色発光域１７０は距離Ｌｘでシフトされ、赤色発光域１５０と青色発光域１７０によって形成された三角形の一辺は、行方向に実質的に平行である。Ｌｘは、行方向上に定義された赤色発光域１５０と青色発光域１７０間の距離Ｌｙと実質的に又は近似して同一である。
【００２４】
各赤色発光域１５０、緑色発光域１６０及び青色発光域１７０は、例えば、方形、長方形、円形、三角形、台形、多角形又はそれらの組み合わせの任意の幾何形状に形成することができる。好ましい幾何形状は、図１〜３に示される方形又は長方形である。一般的に、各赤色発光域１５０、緑色発光域１６０及び青色発光域１７０は、列方向上に、例えば、Ｒｘ、Ｇｘ又はＢｘの幅を有し、行方向上に、例えば、Ｒｙ、Ｇｙ又はＢｙの長さを有することができる。各赤色発光域１５０、緑色発光域１６０及び青色発光域１７０の幅と長さ（ＲｘとＲｙ、ＧｘとＧｙ、ＢｘとＢｙ）は、異なるか又は実質的に同一であることができる。よって、各赤色発光域１５０、緑色発光域１６０及び青色発光域１７０の開口比（ａｐｅｒｔｕｒｅ ｒａｔｉｏ）は、（Ｒｘ×Ｒｙ）／（Ｐｘ×Ｐｙ）、（Ｇｘ×Ｇｙ）／（Ｐｘ×Ｐｙ）及び（Ｂｘ×Ｂｙ）／（Ｐｘ×Ｐｙ）で定義することができ、（Ｒｘ×Ｒｙ）、（Ｇｘ×Ｇｙ）及び（Ｂｘ×Ｂｙ）は、赤色発光域１５０、緑色発光域１６０及び青色発光域１７０の面積であり、（Ｐｘ×Ｐｙ）は、第１サブピクセル１１０、第２サブピクセル１２０及び第３サブピクセル１３０の面積である。従来のサブピクセルの発光域の配列に比べ、本発明における赤色、緑色及び青色サブピクセルの発光域の配列は、より大きい開口比を約束し、これはディスプレイパネルの寿命を延ばすのに必要である。また、この配列方式は、製造プロセスの難度を低下させ、フルカラーＯＬＥＤディスプレイパネルの製造プロセス中に色混合が生じるのを防ぐためのより大きな許容度を提供する。
【００２５】
好ましくは、各赤色発光域１５０、緑色発光域１６０及び青色発光域１７０は、赤、緑及び青等の異なる色光線を放射できる発光ダイオード素子にそれぞれ対応する。発光ダイオード素子は、ＯＬＥＤ素子又は複数の直列接続したＯＬＥＤ素子を含み、各ＯＬＥＤ素子は、トップエミッション型ＯＬＥＤ素子又はボトムエミッション型ＯＬＥＤ素子である。また、ＯＬＥＤ素子は、正常構造（ｎｏｒｍａｌ ｓｔｒｕｃｔｕｒｅ）又は逆構造（ｉｎｖｅｒｔｅｄ ｓｔｒｕｃｔｕｒｅ）を含む。
【００２６】
本発明の限定されないＯＬＥＤディスプレイパネルのサブピクセル光学素子の例示的な実施形態の配列を下記に示す。
図５は、ＯＬＥＤディスプレイパネルのカラー画素配列の実施形態である。画素マトリクスの各画素２０１は、図４（又は図１）に示されるような赤色サブピクセル発光素子（赤色発光域とも称す）２５０、緑色サブピクセル発光素子（緑色発光域とも称す）２６０及び青色サブピクセル発光素子（青色発光域とも称す）２７０の配列ユニットが繰り返される。図５の配列２００では、各赤色サブピクセル発光素子２５０、緑色サブピクセル発光素子２６０及び青色サブピクセル発光素子２７０は、方形の幾何形状をなす。かつ列方向上に、任意の２つの隣接し、かつ異なる色の発光素子間に距離を有する間隙を定義する。例えば、画素２０１の赤色発光域２５０と青色発光域２７０間の列方向上に距離ａ１を定義し、画素２０１の青色発光域２７０と隣接する画素２０１の赤色発光域２５０間の列方向上に距離ｂ１を定義する。ｂ１は、ａｌと同一又は近似している。また、行方向上に、任意の２つの隣接し、かつ異なる色の発光素子間に距離を有する間隙も定義する。例えば、画素２０１の赤色発光域２５０又は青色発光域２７０と緑色発光域２６０間の行方向上に距離ｃ１を定義し、画素２０１の緑色発光域２６０と隣接する画素２０１の赤色発光域２５０又は青色発光域２７０間の行方向上に距離ｄ１を定義する。ｄ１は、ｃｌと同一又は近似する。図５に示すように、ａ１及び／又はｂ１は、ｃｌ及び／又はｄ１と同一又は近似する。図７は、図５のカラー画素配列２００の画素マトリクス延伸した部分である。このカラー画素配列２００は、ストライプ（ｓｔｒｉｐｅ）配列に相当する。
【００２７】
図６は、ＯＬＥＤディスプレイパネルのカラー画素配列２００Ａの実施形態である。画素マトリクスの各画素２０１は、図４（又は図１）に示されるような赤色サブピクセル発光素子２５０、緑色サブピクセル発光素子２６０及び青色サブピクセル発光素子２７０の配列ユニットが繰り返される。この実施形態では、赤色サブピクセル発光素子２５０、緑色サブピクセル発光素子２６０及び青色サブピクセル発光素子２７０は、長方形の幾何形状をなしている。図６に示されるように、配列２００Ａでは、列方向上の赤色発光域２５０（青色発光領域２７０）の幅Ｒｘ（Ｂｘ）は、行方向上の赤色発光域２５０（青色発光領域２７０）の長さＲｙ（Ｂｙ）より小さい。緑色発光域２６０では、その幅Ｇｘは、長さＧｙより大きい。同様に、例えば、ａ２とｂ２は、列方向上に、任意の２つの隣接し、かつ異なる色の発光素子間に距離を有する間隙を定義し、ａ２とｂ２は、実質的に又は近似して同一であり、ｃ２とｄ２は、行方向上に、任意の２つの隣接し、かつ異なる色の発光素子間に距離を有する間隙を定義し、ｃ２とｄ２は、実質的に又は近似して同一である。好ましくは、ａ２及びｂ２は、ｃ２及びｄ２と実質的に又は近似して同一である。
【００２８】
１つの実施形態では、間隙の距離（ａｎ、ｂｎ、ｃｎ、ｄｎ）は、下記の関係式、２０μｍ≦ａｎ、ｂｎ、ｃｎ、ｄｎ≦６０μｍ及び０．２（ａｎ＋ｂｎ＋ｃｎ＋ｄｎ）≦ａｎ、ｂｎ、ｃｎ、ｄｎ≦０．３（ａｎ＋ｂｎ＋ｃｎ＋ｄｎ）を満たす必要があり、ｎは１又は２である。
【００２９】
実際には、駆動回路は、各画素の赤色発光域２５０、緑色発光域２６０及び青色発光域２７０をそれぞれ駆動し、発光素子より対応する色の光線を放射する。駆動回路は、パッシブマトリクスアドレス（ａｄｄｒｅｓｓｉｎｇ）法又はアクティブマトリクスアドレス法で形成されることができる。パッシブマトリクスアドレス法は、パッシブマトリクスＯＬＥＤ素子に対応し、アクティブマトリクスアドレス法は、アクティブマトリクスＯＬＥＤ素子に対応する。
【００３０】
図９〜１１を参照下するに、これらはＯＬＥＤディスプレイパネルのカラー画素配列の実施形態であり、画素マトリクスの各画素３０１は、図８（又は図１）に示されるような赤色サブピクセル発光素子３５０、緑色サブピクセル発光素子３６０及び青色サブピクセル発光素子３７０の配列ユニットが繰り返される。図９及び１０にそれぞれ示すように、この配列方式３００と３００Ａでは、赤色サブピクセル発光素子３５０、緑色サブピクセル発光素子３６０及び青色サブピクセル発光素子３７０は、方形の幾何形状（図９）又は長方形の幾何形状（図１０）をなしている。画素３０１の緑色発光域３６０と赤色発光域３５０（青色発光域３７０）の間は、距離ａ３（図９）又はａ４（図１０）に分けられる。同時に、列方向上には、画素３０１の赤色発光域３５０（青色発光域３７０）と隣接する画素３０１の緑色発光域３６０の間に距離ｂ３（図９）又はｂ４（図１０）に分けられる。ここにおいて、ａ３はｂ３と同一又は近似し（図９）、ａ４はｂ４と同一又は近似する（図１０）。行方向上には、画素３０１の赤色発光域３５０と青色発光域３７０の間に距離ｃ３（図９）又はｃ４（図１０）に分けられ、画素３０１の青色発光域３７０と隣接する画素３０１の赤色発光域３５０の間に距離ｄ３（図９）又はｄ４（図１０）に分けられる。ｃ３はｄ３と実質的に同一又は近似し（図９）、ｃ４はｄ４と実質的に同一又は近似する（図１０）。更に好ましくは、全ての距離は、ａ３、ｂ３、ｃ３及びｄ３は、実質的に同一又は近似し（図９）、ａ４、ｂ４、ｃ４及びｄ４は、実質的に同一又は近似する（図１０）。１つの実施形態では、各距離（ａｎ、ｂｎ、ｃｎ及びｄｎ）は、約２０〜６０μｍであり、０.２（ａｎ＋ｂｎ＋ｃｎ＋ｄｎ）より大きく、０．３（ａｎ＋ｂｎ＋ｃｎ＋ｄｎ）より小さく、ここでｎは３又は４である。
【００３１】
図１１は、図９のカラー画素配列３００の画素マトリクスを延伸した部分である。このカラー画素配列３００は、ストライプ（ｓｔｒｉｐｅ）配列に相当する。
【００３２】
表１に、従来のストライプ形式と本発明の赤色サブピクセル素子、緑色サブピクセル素子及び青色サブピクセル素子の配列の開口比とアラインメント許容度（ａｌｉｇｎｍｅｎｔ ｔｏｌｅｒａｎｃｅ）を示す。
【００３３】
【表１】
2008015521.tif 000003
【００３４】
図１２及び１３は、本発明の上述の実施形態に基づいた２．４インチＯＬＥＤディスプレイパネルの２つの画素レイアウト４００Ａ及び４００Ｂをそれぞれ表している。画素レイアウト４００Ａでは、画素ユニット４０１Ａは、第１サブピクセル４１０Ａ、第２サブピクセル４２０Ａ及び第３サブピクセル４３０Ａを有し、互いに隣接して配列される。画素ユニット４０１Ａは、また３角形で配列された赤色ＯＬＥＤ素子Ｒ、緑色ＯＬＥＤ素子Ｇ及び青色ＯＬＥＤ素子Ｂを含み、Ｒ、Ｇ、Ｂの３つのＯＬＥＤ素子をサブピクセル４１０Ａ、４２０Ａ及び４３０Ａにそれぞれ位置させる。同様に、画素レイアウト４００Ｂでは、画素ユニット４０１Ｂは、第１サブピクセル４１０Ｂ、第２サブピクセル４２０Ｂ及び第３サブピクセル４３０Ｂを有し、互いに隣接して配列される。画素ユニット４０１Ｂは、また、３角形で配列された赤色ＯＬＥＤ素子Ｒ、緑色ＯＬＥＤ素子Ｇ及び青色ＯＬＥＤ素子Ｂを含み、Ｒ、Ｇ、Ｂの３つのＯＬＥＤ素子をサブピクセル４１０Ｂ、４２０Ｂ及び４３０Ｂにそれぞれ位置させる。表１より、本発明の開口比とアラインメント許容度が従来のストライプ配列より優れている結果を明白に見ることができる。例えば、従来のストライプ形式と比べ、本発明の画素レイアウト４００Ａ及び４００Ｂのアラインメント許容度は、列方向（Ｘ）で約２μｍ増加し、行方向（Ｙ）で約５μｍ増加している。また、開口比は、平均して約２１％増加し、このため本発明のカラー画素配列によって、ディスプレイパネルの寿命を約３０％増加させることができる。
【００３５】
図１４〜１７を参照するに、本発明の上述の実施形態に基づいたカラー画素の配列方式である。図１４は、図２及び３を組み合わせた配列方式のカラー画素配列ユニット５０１である。配列ユニット５０１は、２つの行方向に沿って配列し、かつ隣接した画素５０１ａと５０１ｂを含む。赤色発光域５５０、緑色発光域５６０及び青色発光域５７０は、図２に示されるように三角形で画素５０１ａに配列され、図３に示すような三角形で画素５０１ｂに配列される。図１５及び１６にそれぞれ示されるように、画素ユニット５０１は、画素マトリクスの行方向に沿って繰り返し配列され、フルカラーＯＬＥＤディルプレイパネルのカラー画素配列５００と５００Ａを完成する。カラー画素配列５００では、各赤色発光域５５０、緑色発光域５６０及び青色発光域５７０は、方形の幾何形状をなし、カラー画素配列５００Ａでは、長方形の幾何形状をなす。各赤色発光域５５０、緑色発光域５６０及び青色発光域５７０の方形又は長方形の幾何形状の面積は、実質的に同一又は異なることができる。
【００３６】
図１５及び１６に示すように、列方向上に、任意の２つの隣接し、かつ異なる色の発光素子ほぼ同一の距離に分けられ、例えば、緑色発光域５６０と赤色発光域５５０間のａ５（ａ６）と赤色発光域５５０と隣接した緑色発光域５６０間のｂ５（ｂ６）において、ａ５はｂ５と実質的に同一又は近似し（図１５）、ａ６はｂ６と実質的に同一又は近似する（図１６）。また、行方向上に、任意の２つの隣接し、かつ異なる色の発光素子間も実質的に同一の距離に分けられ、例えば、赤色発光域５５０と青色発光域５７０間のｃ５（ｃ６）と青色発光域５７０と隣接する緑色発光域５６０間のｄ５（ｄ６）では、ｃ５はｄ５と実質的に同一又は近似し（図１５）、ｃ６はｄ６と実質的に同一又は近似する（図１６）。更に、好ましくは、列方向及び行方向に分けられた距離は、実質的に近似して同一であり、例えば、全ての距離ａ５、ｂ５、ｃ５及びｄ５は、実質的に又は近似して同一であり（図１５）又はａ６、ｂ６、ｃ６及びｄ６は、実質的に又は近似して同一である（図１６）。１つの実施形態では、各距離（ａｎ、ｂｎ、ｃｎ及びｄｎ）は、実質的に２０〜６０μｍであり、０．２（ａｎ＋ｂｎ＋ｃｎ＋ｄｎ）≦ａｎ、ｂｎ、ｃｎ、ｄｎ≦０．３（ａｎ＋ｂｎ＋ｃｎ＋ｄｎ）であり、ここでｎは５又は６である。
【００３７】
図１７は、図１５に示されるＯＬＥＤディスプレイパネルのカラー画素配列５００の画素マトリクスを延伸した部分である。このカラー画素配列５００は、三角形（ｄｅｌｔａ）配列に相当する。
【００３８】
本発明の上述した各実施形態では、ＯＬＥＤディスプレイパネルの赤、緑及び青色発光域は、三角形で配列され、列方向上に、任意の２つの隣接し、かつ異なる色の発光素子間に第１距離を有する間隙を定義し、行方向上に、任意の２つの隣接し、かつ異なる色の発光素子間に第２距離を有する間隙を定義する。第１及び第２距離は、実質的に又は近似して同一である。この発光素子のサブピクセルの配列方式は、ＯＬＥＤディスプレイパネルの製造プロセス、特にシャドウマスクプロセス、スタンダード製造プロセスのアラインメントの困難度を低下させることが確実にできる。
【００３９】
本発明は、またディスプレイパネルでカラー画像を表示する方法を提供する。ディスプレイパネルは、複数の列方向と行方向に沿って配列された画素より構成される。各画素は、互いに隣接して画素マトリクスの列方向に沿って配列される第１サブピクセル、第２サブピクセル及び第３サブピクセルと赤色発光域、緑色発光域及び青色発光域を含む。１つの実施形態では、前記方法は、各発光域の幾何中心が三角形の異なる頂点に位置される方式で、画素の赤、緑及び青色発光域を三角形に配置するステップを含み、三角形の一辺は列方向と行方向の中の１つに実質的に平行である。よって、複数の画素では、列方向上に、任意の２つの隣接し、かつ異なる色の発光素子間に距離を有する間隙を定義し、行方向上に、任意の２つの隣接し、かつ異なる色の発光素子間に距離を有する間隙を定義する。両間隙の距離は、実質的に又は近似して同一である。
【００４０】
また、本発明の実施形態は、上述の赤色、緑色、青色等のカラーサブピクセル又は発光域を限定するものではなく、その他の色、例えば、茶色、黄色、ピンク色、紫色、赤み掛かったオレンジ色、オレンジ色、青緑色、サーモンピンク、藤色又はその他の色等を選択的に用いることもできる。
【００４１】
以上、本発明の好適な実施形態を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【産業上の利用可能性】
【００４２】
本発明は、従来のサブピクセルの発光域に比べ、より大きい開口比を持ち、ディスプレイパネルを長寿命化することができる。また、本発明によって、製造プロセスの難度を低下させ、より大きなアライメント許容度を有することもでき、フルカラーＯＬＥＤディスプレイパネルの製造プロセス中に色混合が生じるのを防止できる。
従って、本発明は、カラー画像表示用ディスプレイの分野において、好適に利用できる。
【図面の簡単な説明】
【００４３】
【図１】図１は、本発明に用いられる赤、緑及び青色発光域の配列ユニットの第１実施形態を示す図である。
【図２】図２は、本発明に用いられる赤、緑及び青色発光域の配列ユニットの第２実施形態を示す図である。
【図３】図３は、本発明に用いられる赤、緑及び青色発光域の配列ユニットの第３実施形態を示す図である。
【図４】図４は、本発明に用いられる赤、緑及び青色発光域の配列ユニットの第４実施形態を示す図である。
【図５】図５は、図４の配列ユニットを用いた配列方式の１実施形態を示す図である。
【図６】図６は、図４の配列ユニットを用いた配列方式の他の実施形態を示す図である。
【図７】図７は、図５の延伸部分を示す図である。
【図８】図８は、本発明に用いられる赤、緑及び青色発光域の配列ユニットの第５実施形態を示す図である。
【図９】図９は、図８の配列ユニットを用いた配列方式の１実施形態を示す図である。
【図１０】図１０は、図８の配列ユニットを用いた配列方式の他の実施形態を示す図である。
【図１１】図１１は、図９の延伸部分を示す図である。
【図１２】図１２は、本発明の１実施形態を示し、赤、緑及び青色発光域の配列のレイアウトを表す図である。
【図１３】図１３は、本発明の他の実施形態を示し、赤、緑及び青色発光域の配列のレイアウトを表す図である。
【図１４】図１４は、本発明に用いられる赤、緑及び青色発光域の配列ユニットの第６実施形態を示す図である。
【図１５】図１５は、図１４の配列ユニットを用いた配列方式の１実施形態を示す図である。
【図１６】図１６は、図１４の配列ユニットを用いた配列方式の他の実施形態を示す図である。
【図１７】図１７は、図１５の延伸部分を示す図である。
【図１８】図１８は、従来の赤、緑及び青色発光域のストライプ配列を示す図である。
【符号の説明】
【００４４】
１００、２０１、３０１、４０１Ａ、４０１Ｂ、５０１ａ、５０１ｂ  画素
１１０、４１０Ａ、４１０Ｂ  第１画素
１２０、４２０Ａ、４２０Ｂ  第２画素
１３０、４３０Ａ、４３０Ｂ  第３画素
２００、２００Ａ、３００、３００Ａ、４００Ａ、４００Ｂ、５００、５００Ａ  画素レイアウト
１５０、２５０、３５０、５５０  赤色発光域
１６０、２６０、３６０、５６０  緑色発光域
１７０、２７０、３７０、５７０  青色発光域
５０１  画素配列ユニット
ａ１、ａ２、ａ３、ａ４、ａ５、ａ６  列方向上の同一の画素が隣接し、かつ異なる色の発光素子間の距離
ｂ１、ｂ２、ｂ３、ｂ４、ｂ５、ｂ６  列方向上の隣接した画素が隣接し、かつ異なる色の発光素子間の距離
ｃ１、ｃ２、ｃ３、ｃ４、ｃ５、ｃ６  行方向上の同じ画素が隣接し、かつ異なる色の発光素子間の距離
ｄ１、ｄ２、ｄ３、ｄ４、ｄ５、ｄ６  行方向上の隣接した画素が隣接し、かつ異なる色の発光素子間の距離
Ｌｘ  列方向上の発光域のシフト距離
Ｌｙ  列方向上の発光域のシフト距離
Ｐｘ  列方向のサブピクセルの距離
Ｐｙ  行方向のサブピクセルの距離
Ｒ  赤色発光域の幾何中心（赤色ＯＬＥＤ域）
Ｇ  緑色発光域の幾何中心（緑色ＯＬＥＤ域）
Ｂ  青色発光域の幾何中心（青色ＯＬＥＤ域）
Ｒｘ  赤色発光域の列方向幅
Ｇｘ  緑色発光域の列方向幅
Ｂｘ  青色発光域の列方向幅
Ｒｙ  赤色発光域の行方向幅
Ｇｙ  緑色発光域の行方向幅
Ｂｙ  青色発光域の行方向幅
６００  画素マトリクス
６０１  画素
６１０  第１サブピクセル
６２０  第２サブピクセル
６３０  第３サブピクセル
６５０  赤色サブピクセル素子
６６０  緑色サブピクセル素子
６７０  青色サブピクセル素子
Ｌｒ  列方向上の２つの隣接したサブピクセル素子間の距離
Ｌｃ  行方向上の２つの隣接したサブピクセル素子間の距離
【図１】
2008015521.tif 000004
【図２】
2008015521.tif 000005
【図３】
2008015521.tif 000006
【図４】
2008015521.tif 000007
【図５】
2008015521.tif 000008
【図６】
2008015521.tif 000009
【図７】
2008015521.tif 000010
【図８】
2008015521.tif 000011
【図９】
2008015521.tif 000012
【図１０】
2008015521.tif 000013
【図１１】
2008015521.tif 000014
【図１２】
2008015521.tif 000015
【図１３】
2008015521.tif 000016
【図１４】
2008015521.tif 000017
【図１５】
2008015521.tif 000018
【図１６】
2008015521.tif 000019
【図１７】
2008015521.tif 000020
【図１８】
2008015521.tif 000021